(57)【要約】      （修正有）【課題】データＩＣの中央部の出力と接続されたアドレス電極によって表示される輝度と、データＩＣの端の出力と接続されたアドレス電極によって表示される輝度の差を低減する。【解決手段】アドレス電極（Ｘ１乃至Ｘ２ｊ）に電気的に接続される２ｊ個の出力部５２を備えたデータＩＣ５０の両端に、グラウンド電圧を受ける第１入力端子５４および第２入力端子５５を設けるとともに、中央部に第３入力端子５８を配置して所定の電圧（Ｖｐ）の供給を受ける。【選択図】図６
2006106685.tif 000002
【特許請求の範囲】
【請求項１】
プラズマディスプレイ装置の複数の電極を制御するデータ集積回路(ＩＣ)において、 
前記複数の電極に結合される複数の出力部と、
前記ＩＣ装置の端部に結合される第１及び２端子と、
第１及び２端子の間に配置されて前記ＩＣ装置に所定の電圧を供給する少なくとも１個の第３端子と、
を含むことを特徴とするデータ集積回路。
【請求項２】
前記所定の電圧は前記グラウンド電圧であることを特徴とする、請求項１記載のデータ集積回路。
【請求項３】
前記複数の電極はアドレス電極であることを特徴とする、請求項１記載のデータ集積回路。
【請求項４】
前記所定の電圧は前記グラウンド電圧であることを特徴とする、請求項３記載のデータ集積回路。
【請求項５】
少なくとも一つの第３端子がＩＣ装置の中央に配置されることを特徴とする、請求項３記載のデータ集積回路。
【請求項６】
複数の第３端子が第１及び２端子の間に一定な間隔に配置されることを特徴とする、請求項３記載のデータ集積回路。
【請求項７】
前記少なくとも一つの第３端子と第１または第２端子とは等しい電圧の供給を受けることを特徴とする、請求項３記載のデータ集積回路。
【請求項８】
前記少なくとも一つの第３端子と第１及び第２端子とは等しい電圧の供給を受けることを特徴とする、請求項３記載のデータ集積回路。
【請求項９】
前記所定の電圧は前記グラウンド電圧であることを特徴とする、請求項８記載のデータ集積回路。
【請求項１０】
前記出力部の数は９６以上に設定されることを特徴とする、 請求項３記載のデータ集積回路。
【請求項１１】
スキャン電極とアドレス電極の交差地点に放電セルを持つプラズマディスプレイ装置において、 
アドレス電極を制御する一つ以上の集積回路(ＩＣ)を含む駆動部を備えて、
前記集積回路では、
前記複数のアドレス電極の少なくとも一部分に結合される複数の出力部と、
前記ＩＣ装置の端部に結合される第１及び２端子と、
第１及び２端子の間に配置されて前記ＩＣ装置に所定の電圧を供給する少なくとも１個の第３端子と、
を含むことを特徴とするプラズマディスプレイ装置。
【請求項１２】
放電セルを含み前記駆動部によって制御されるプラズマパネルをさらに含んで構成されることを特徴とする、請求項１１記載のプラズマディスプレイ装置。
【請求項１３】
前記所定の電圧は前記グラウンド電圧であることを特徴とする、請求項１１記載のプラズマディスプレイ装置。
【請求項１４】
前記ＩＣ装置において、
少なくとも一つの第３端子がＩＣ装置の中央に配置されることを特徴とする、請求項１１記載のプラズマディスプレイ装置。
【請求項１５】
前記ＩＣ装置において、
前記少なくとも一つの第３端子は第１及び２端子の間に一定な間隔に配置される複数個の第３端子を含むことを特徴とする、請求項１２記載のプラズマディスプレイ装置。
【請求項１６】
前記ＩＣ装置において、
前記少なくとも一つの第３端子と第１または第２端子とは等しい電圧の供給を受けることを特徴とする、請求項１１記載のプラズマディスプレイ装置。
【請求項１７】
前記ＩＣ装置において、
前記少なくとも一つの第３端子と第１及び第２端子とは等しい電圧の供給を受けることを特徴とする、請求項１１記載のプラズマディスプレイ装置。
【請求項１８】
前記所定の電圧は前記グラウンド電圧であることを特徴とする、請求項１７記載のプラズマディスプレイ装置。
【請求項１９】
前記出力部の数は９６以上に設定されることを特徴とする、請求項１１記載のプラズマディスプレイ装置。
【請求項２０】
複数個のサステイン電極と、
スキャン電極を制御するためのスキャン駆動部と、
サステイン電極を制御するためのサステイン駆動部と、
を含むことを特徴とする、請求項１１記載のプラズマディスプレイ装置。
【発明の詳細な説明】
【技術分野】
【０００１】
本発明は、データ集積回路及びこれを利用したプラズマディスプレイパネルの駆動装置に関し、特に、表示品質を進めるようにしたデータ集積回路及びこれを利用したプラズマディスプレイパネルの駆動装置に関する。
【背景技術】
【０００２】
プラズマディスプレイパネル(Ｐｌａｓｍａ Ｄｉｓｐｌａｙ Ｐａｎｅｌ：以下”ＰＤＰ”だとする)はＨｅ＋Xｅ、 Ｎｅ＋XｅまたはＨｅ＋Xｅ＋Ｎｅなどの不活性混合ガスの放電の時発生する１４７ｎｍの紫外線によって蛍光体を発光させることで文字またはグラフィックを含んだ画像を表示するようになる。 このようなＰＤＰは薄膜化と大型化が容易いだけでなく最近の技術開発に負って大きく向上した画質を提供する。特に、３電極交流面放電型ＰＤＰは放電の時表面に壁電荷が蓄積されて放電によって発生されるスパッタリングから電極を保護するから低電圧駆動と長寿命の長所を持つ。
【０００３】
図１に示したのように、プラズマディスプレイパネルは画像がディスプレイする表示面である前面ガラス１０１にスキャン電極１０２とサステイン電極１０３が対を成して形成された復数の維持電極対が配列された前面基板１００及び背面を成す後面ガラス１１１上に上述した復数の維持電極対と交差されるように復数のアドレス電極１１３    が配列された後面基板１１０が一定距離を間に置いて平行に結合される。
【０００４】
図１を参照すれば、３電極交流面放電型ＰＤＰの放電セルは上部基板１０上に形成されたスキャン電極(Ｙ)及びサステイン電極(Z)と、下部基板１８上に形成さたアドレス電極(X)を備える。 スキャン電極(Ｙ)とサステイン電極(Z)それぞれは透明電極(１２Ｙ、１２Z)と、透明電極(１２Ｙ、１２Z)の線幅より小さな線幅を持って透明電極の一つ側端に形成される金属バス電極(１３Ｙ、１３Z)を含む。
【０００５】
透明電極(１２Ｙ、１２Z)は通常インジウムティンオキサイド(Ｉｎｄｉｕｍ−Ｔｉｎ−Ｏｘｉｄｅ：ＩＴＯ)で上部基板１０上に形成される。 金属バス電極(１３Ｙ、１３Z)は通常クロム(Ｃｒ)などの金属で透明電極(１２Ｙ、１２Z)上に形成されて抵抗が高い透明電極(１２Ｙ、１２Z)による電圧降下を減らす役目をする。 スキャン電極(Ｙ)とサステイン電極(Z)が並んで形成された上部基板１０には上部誘電体層１４と保護膜１６が積層される。上部誘電体層１４にはプラズマ放電の時発生された壁電荷が蓄積される。 保護膜１６はプラズマ放電の時発生されたスパッタリングによる上部誘電体層１４の損傷を防止すると共に２次電子の放出效率を高めるようになる。 保護膜１６では通常酸化マグネシウム(ＭｇＯ)が利用される。
【０００６】
アドレス電極(X)が形成された下部基板１８上には下部誘電体層２２、隔壁２４が形成されて、下部誘電体層２２と隔壁２４表面には蛍光体層２６が塗布される。アドレス電極(X)はスキャン電極(Ｙ)及びサステイン電極(Z)と交差される方向に形成される。 隔壁２４  はアドレス電極(X)と並んで形成されて放電によって生成された紫外線及び可視光が接した放電セルに漏洩することを防止する。 蛍光体層２６はプラズマ放電の時発生された紫外線によって励起されて赤色、緑色または青色の何れ一つの可視光線を発生するようになる。 上/下部基板(１０、１８)と隔壁２４の間に用意された放電空間には不活性混合ガスが注入される。
【０００７】
ＰＤＰは画像の階調を具現するために、一つのフレームを発光回数が他の様々サブフィールドで分けて時分割駆動するようになる。 各サブフィールドは全画面を初期化させるための初期化期間と、スキャンラインを選択して選択されたスキャンラインでセルを選択するためのアドレス期間と、放電回数によって階調を具現するサステイン期間で分けられる。
【０００８】
ここで、初期化期間は上昇ランプ波形が供給されるセットアップ期間と下降ランプ波形が供給されるセットダウン期間で分けられる。例えば、 ２５６階調で画像を表示しようとする場合に図２のように１/６０秒にあたるフレーム期間(１６。６７ｍｓ)は８個のサブフィールド(ＳＦ１ないしＳＦ８)で分けられるようになる。８個のサブフィールド(ＳＦ１ないしＳＦ８)それぞれは前述したのように、初期化期間、アドレス期間とサステイン期間で分けられるようになる。 各サブフィールドの初期化期間とアドレス期間は各サブフィールド毎に等しい一方にサステイン期間は各サブフィールドで２ｎ(ｎ=０、１、２、３、４、５、６、７)の割合で増加される。
【０００９】
図３は従来のプラズマディスプレイパネルの駆動装置を示す図である。
【００１０】
図３を参照すれば、従来のＰＤＰの駆動装置はパネル３０に設置されたアドレス電極(Ｘ１乃至Ｘｋ)を駆動するためのアドレス駆動部３２と、パネル３０に設置されたスキャン電極(Ｙ１乃至Ｙｎ)を駆動するためのスキャン駆動部３４と、パネル３０に設置されたサステイン電極(Z１乃至Ｚｎ)を駆動するためのサステイン駆動部３６を備える。
【００１１】
スキャン駆動部３４はリセットパルス、スキャンパルス及びサステインパルスをスキャン電極(Ｙ１ 乃至Ｙｎ)で供給する。 ここで、リセットパルス及びサステインパルスはすべてのスキャン電極(Ｙ１乃至Ｙｎ)で共通的に供給されて、スキャンパルスはスキャン電極(Ｙ１乃至Ｙｎ)に順に供給される。
【００１２】
アドレス駆動部３２は外部から供給される映像データに対応されるデータパルス(駆動電圧)をアドレス電極(Ｘ１乃至Ｘｋ)で供給する。 ここで、データパルスはスキャン電極(Ｙ１乃至Ｙｎ)で順に供給されるスキャンパルスに同期されるように供給される。
【００１３】
サステイン駆動部３６は正極性電圧(正極性バイアス電圧)及びサステインパルス(駆動電圧)をサステイン電極(Z１乃至Ｚｎ)で供給する。 ここで、正極性電圧及びサステインパルスはすべてのサステイン電極(Z１乃至Ｚｎ)に共通的に供給される。
【００１４】
図４は従来技術による図３の駆動装置でデータ集積回路(ＩＣ)を示す図である。
【００１５】
図４を参照すれば、図３の駆動装置でアドレス駆動部３２はアドレス電極(Ｘ１乃至Ｘｋ)のアドレス電極(Ｘ１乃至Ｘｉ)に電気的に接続されるｉ(ここで、ｉは自然数)個の出力部４２をもつ少なくても一つ以上のデータ集積回路４０を備える。
【００１６】
図面に示さなかったが、出力部４２はアドレス駆動部３２に対する映像データ入力に対応される駆動電圧(データパルス)(Ｖｈ)を受けて、アドレス電極(Ｘ１乃至Ｘｉ)に供給する。またアドレス駆動部３２データＩＣ４０の両側端には第１入力端子４４及び第２入力端子４６が設置される。
【００１７】
第１入力端子４４は、外部からグラウンド電圧(ＧＮＤ)を供給受けて、供給受けたグラウンド電圧(ＧＮＤ)を第１入力端子近所の出力部４２で供給する。 第２入力端子４６は、また外部からグラウンド電圧(ＧＮＤ)を供給受けて、供給受けたグラウンド電圧(ＧＮＤ)を第２入力端子近所の出力部４２で供給する。グラウンド電圧(ＧＮＤ)を受信するための制１及び２入力端子(４４及び４６)の使用は公知されたものである。
【００１８】
駆動電圧(Ｖｈ)及びグラウンド電圧(ＧＮＤ)を供給受けた出力部４２それぞれは自分と接続されたアドレス電極(Ｘ１乃至Ｘｉ)で映像データに対応するデータパルスを供給する。
【００１９】
このような従来のＰＤＰによってサステイン放電を起こすためにサステイン期間の間、高い電圧値を持つサステインパルスをスキャン電極(Ｙ)及びサステイン電極(Z)で交番的に供給する。 ここで、高い電圧値を持つサステインパルスは等価的にキャパシタに表現されることができる放電セルを経由してデータＩＣ４０の出力部４２に供給される。
【００２０】
しかし、従来のＰＤＰでは、データＩＣ４０の中央部に位置された出力部４２と接続されたアドレス電極(X)によって表示される輝度と、データＩＣ４０の端に位置された出力部４２と接続されたアドレス電極(X)によって表示される輝度が相異し、これに従って輝度の差による染み形態のノイズが発生されて表示品質が低下される。このような現象の発生する理由はグラウンド電圧(ＧＮＤ)を受ける入力端子(４４及び４６)がただ２個であるのでデータＩＣ４０の中央部に位置された出力部４２に供給されるグラウンド電圧(ＧＮＤ)が不足するからである。その結果、データＩＣ４０の中央部に位置された出力部４２は高いサステイン電圧によって多い影響を受ける。 特に、放電セルのキャパシタ成分が高くなってデータＩＣ４０に含まれた出力部４２数が多いほど輝度の差はさらにひどく発生される。 例えば、高解像度を持つＰＤＰを提供するため、多くの出力部４２がデータＩＣ４０に提供されることができる。しかし、この場合、データＩＣの構成によって前記パネル上の輝度が不一致する問題が発生して、パネルの画像品質を低下させる。このような問題はまた単発走査方法を使うＰＤＰに顕著である。
【発明の開示】
【発明が解決しようとする課題】
【００２１】
したがって、本発明は、少なくとも従来技術の問題と短所を解決するするためのことで、その目的は、表示品質を進めるように一のデータ集積回路及びこれを利用したプラズマディスプレイパネルの駆動装置を提供することにある。
【課題を解決するための手段】
【００２２】
本発明のデータ集積回路及びこれを利用したプラズマディスプレイパネルの駆動装置によって、データＩＣの中央部に直接グラウンド電圧を供給することで均一な輝度を持つ画像を表示するのが可能である。 
【００２３】
本発明のひとつの実施例によるプラズマディスプレイ装置で複数の電極を制御するデータ集積回路(ＩＣ)において、前記データ集積回路では前記複数の電極に結合される複数の出力部と、前記ＩＣ装置の端部に結合される第１及び２端子と、第１及び２端子の間に配置されて前記ＩＣ装置に所定の電圧を供給する少なくとも１個の第３端子を含むことを特徴とする。
【００２４】
本発明の他の実施例によるスキャン電極とアドレス電極の交差地点に放電セルを持つプラズマディスプレイ装置において、前記プラズマディスプレイ装置はアドレス電極を制御する一つ以上の集積回路(ＩＣ)を含む駆動部を備えて、前記集積回路では前記複数のアドレス電極の少なくとも一部分に結合される複数の出力部と、前記ＩＣ装置の端部に結合される第１及び２端子と、第１及び２端子の間に配置されて前記ＩＣ装置に所定の電圧を供給する少なくとも１個の第３端子を含むことを特徴とする。
【００２５】
第１発明に係るプラズマディスプレイ装置のデータ集積回路は、プラズマディスプレイ装置の複数の電極を制御するデータ集積回路(ＩＣ)において、前記複数の電極に結合される複数の出力部と、前記ＩＣ装置の端部に結合される第１及び２端子と、第１及び２端子の間に配置されて前記ＩＣ装置に所定の電圧を供給する少なくとも１個の第３端子と、
を含むことを特徴とする。
【００２６】
第２発明に係るデータ集積回路は、第１発明に係るデータ集積回路に於いて、前記所定の電圧は前記グラウンド電圧であることを特徴とする。
【００２７】
第３発明に係るデータ集積回路は、第１発明に係るデータ集積回路に於いて、前記複数の電極はアドレス電極であることを特徴とする。
【００２８】
第４発明に係るデータ集積回路は、第３発明に係るデータ集積回路に於いて、前記所定の電圧は前記グラウンド電圧であることを特徴とする。
【００２９】
第５発明に係るデータ集積回路は、第３発明に係るデータ集積回路に於いて、少なくとも一つの第３端子がＩＣ装置の中央に配置されることを特徴とする。
【００３０】
第６発明に係るデータ集積回路は、第３発明に係るデータ集積回路に於いて、前記少なくとも一つの第３端子は第１及び２端子の間に一定な間隔に配置される複数個の端子を含むことを特徴とする。
【００３１】
第７発明に係るデータ集積回路は、第３発明に係るデータ集積回路に於いて、前記少なくとも一つの第３端子と第１または第２端子とは等しい電圧の供給を受けることを特徴とする。
【００３２】
第８発明に係るデータ集積回路は、第３発明に係るデータ集積回路に於いて、前記少なくとも一つの第３端子と第１及び第２端子とは等しい電圧の供給を受けることを特徴とする。
【００３３】
第９発明に係るデータ集積回路は、第８発明に係るデータ集積回路に於いて、前記所定の電圧は前記グラウンド電圧であることを特徴とする。
【００３４】
第１０発明に係るデータ集積回路は、第３発明に係るデータ集積回路に於いて、前記出力部の数は９６以上に設定されることを特徴とする。
【００３５】
第１１発明に係るデータ集積回路は、スキャン電極とアドレス電極の交差地点に放電セルを持つプラズマディスプレイ装置において、アドレス電極を制御する一つ以上の集積回路(ＩＣ)を含む駆動部を備えて、前記集積回路では、前記複数のアドレス電極の少なくとも一部分に結合される複数の出力部と、前記ＩＣ装置の端部に結合される第１及び２端子と、第１及び２端子の間に配置されて前記ＩＣ装置に所定の電圧を供給する少なくとも１個の第３端子と、を含むことを特徴とする。
【００３６】
第１２発明に係るデータ集積回路は、第１１発明に係るデータ集積回路に於いて、放電セルを含み前記駆動部によって制御されるプラズマパネルをさらに含んで構成されることを特徴とする。
【００３７】
第１３発明に係るデータ集積回路は、第１１発明に係るデータ集積回路に於いて、前記所定の電圧は前記グラウンド電圧であることを特徴とする。
【００３８】
第１４発明に係るデータ集積回路は、第１１発明に係るデータ集積回路に於いて、前記ＩＣ装置において、少なくとも一つの第３端子がＩＣ装置の中央に配置されることを特徴とする。
【００３９】
第１５発明に係るデータ集積回路は、第１２発明に係るデータ集積回路に於いて、前記ＩＣ装置において、前記少なくとも一つの第３端子は第１及び２端子の間に一定な間隔に配置される複数個の第３端子を含むことを特徴とする。
【００４０】
第１６発明に係るデータ集積回路は、第１１発明に係るデータ集積回路に於いて、前記ＩＣ装置において、前記少なくとも一つの第３端子と第１または第２端子とは等しい電圧の供給を受けることを特徴とする。
【００４１】
第１７発明に係るデータ集積回路は、第１１発明に係るデータ集積回路に於いて、前記ＩＣ装置において、前記少なくとも一つの第３端子と第１及び第２端子とは等しい電圧の供給を受けることを特徴とする。
【００４２】
第１８発明に係るデータ集積回路は、第１７発明に係るデータ集積回路に於いて、前記所定の電圧は前記グラウンド電圧であることを特徴とする。
【００４３】
第１９発明に係るデータ集積回路は、第１１発明に係るデータ集積回路に於いて、前記出力部の数は９６以上に設定されることを特徴とする。
【００４４】
第２０発明に係るデータ集積回路は、第１１発明に係るデータ集積回路に於いて、複数個のサステイン電極と、スキャン電極を制御するためのスキャン駆動部と、サステイン電極を制御するためのサステイン駆動部と、を含むことを特徴とする。
【００４５】
前記目的外に本発明の他の目的及び特徴は以下詳細な説明を通じて明白に現われるようになる。一方、本発明が属する技術分野において通常の知識を有する者であれば、添付された請求範囲に定義された本発明の精神及び範囲を逸脱しない範囲で本発明を様々変形または変更して実施することができ、詳細な説明及び特定例は本発明の望ましい実施例を示す一方、ただ例示として現われたことを理解するはずである。
【発明の効果】
【００４６】
本発明のデータ集積回路及びこれを利用したプラズマディスプレイパネルの駆動装置によって、データＩＣの中央部に直接所定の電圧、例えばグラウンド電圧を供給することで均一な輝度を持つ画像を表示するのが可能である
【発明を実施するための最良の形態】
【００４７】
以下、本発明の望ましい実施例は図５、図６及び図７に基づいて詳細に説明する。
【００４８】
図５は本発明の実施例によるプラズマディスプレイパネルの駆動装置を示す。
【００４９】
図３を参照すれば、ＰＤＰの駆動装置はパネル１３０に設置されたアドレス電極(Ｘ１乃至Ｘｍ)を駆動するためのアドレス駆動部１３２と、パネル１３０に設置されたスキャン電極(Ｙ１乃至Ｙｎ)を駆動するためのスキャン駆動部１３４と、パネル１３０に設置されたサステイン電極(Z１乃至Ｚｎ)を駆動するためのサステイン駆動部１３６とを備える。前記パネル１３０は公知の構成及び構造を持つ。
【００５０】
スキャン駆動部１３４は、リセットパルス、スキャンパルス及びサステインパルスをスキャン電極(Ｙ１乃至Ｙｎ)に供給する。ここで、リセットパルス及びサステインパルスはすべてのスキャン電極(Ｙ１乃至Ｙｎ)に共通的に供給されて、スキャンパルスはスキャン電極(Ｙ１乃至Ｙｎ)に順に供給される。リセットパルス、スキャンパルス及びサステインパルスは、スキャン電極の駆動電圧として、スキャン駆動部１３４に供給される。
【００５１】
アドレス駆動部１３２は、外部から供給される映像データに対応されるデータパルス(駆動電圧)をアドレス電極(Ｘ１乃至Ｘｍ)に供給する。ここで、データパルスは、スキャン電極(Ｙ１乃至Ｙｎ)に順に供給されるスキャンパルスに同期されるように供給される。データパルスは、アドレス電極の駆動電圧として、アドレス駆動部１３２に供給される。
【００５２】
サステイン駆動部１３６は、正極性電圧(正極性バイアス電圧)及びサステインパルス(駆動電圧)をサステイン電極(Z１乃至Ｚｎ)に供給する。ここで、正極性電圧及びサステインパルスは、すべてのサステイン電極(Z１乃至Ｚｎ)で共通的に供給される。正極性電圧及びサステイン電圧は、サステイン電圧の駆動電圧として、サステイン駆動部１３６に供給される。 
【００５３】
図６は、本発明の実施例による図５の駆動装置のデータ集積回路を示す。 前記アドレス駆動部１３２はアドレス電極(Ｘ１乃至Ｘｍ)に接続される一つ以上のデータＩＣ５０を含むことができる。 
【００５４】
図６を参照すれば、本発明の実施例によるデータＩＣ５０は、アドレス電極(Ｘ１乃至Ｘｍ)のアドレス電極(Ｘ１乃至Ｘ２ｊ)に電気的に接続される２ｊ個の出力部５２を備える。ここで、jは自然数で、２jはアドレス電極の数ｍ、即ちＸｍのｍ以下である。図面に図示されなかったが、公知されたところのように、出力部５２はアドレス駆動部１３２に対する映像データ入力に対応される駆動電圧(データパルス；Ｖｈ)を受けて、アドレス電極(Ｘ１乃至Ｘ２ｊ)に供給する。
【００５５】
そして、データＩＣ５０は、第１入力端子５４、第２入力端子５６及び第３入力端子５８を備える。第１入力端子５４、第２入力端子５６及び第３入力端子５８は、集積回路でが形成されたチップ状の端子である場合と、前記チップを貯蔵するパッケージ(ｐａｃｋａｇｅ)に設置されて前記チップ状に対応する端子に接続される外部接続用端子である場合を含む。
【００５６】
第１入力端子５４は、データＩＣ５０の長さ方向の一方の側の末端に設置されて電圧（ＧＮＤ）の供給を受け付ける。第１入力端子５４は、供給を受けたグラウンド電圧(ＧＮＤ)を出力部５２に供給する。
【００５７】
第２入力端子５６は、データＩＣ５０の長さ方向の他の側の末端に設置されてグラウンド電圧(ＧＮＤ)の供給を受け付ける。第２入力端子５６は、供給を受けたグラウンド電圧(ＧＮＤ)を出力部５２に供給する。
【００５８】
第３入力端子５８は、データＩＣ５０の中央部に設置されて所定の電圧(Ｖｐ)の供給を受け付ける。第３入力端子５８は、供給を受けた所定の電圧を出力部５２に供給する。 ここでは、所定の電圧(Ｖｐ)をグラウンド電圧に設定する。
【００５９】
他の例では、複数個の第３入力端子５８が第１及び２端子(５４及び５６)間のデータＩＣ５０の外部表面上に一定な間隔で設置されることもできる。このような構成は特に多くの出力部５２がデータＩＣ５０に設置される時有益である。 
【００６０】
なお、上記では、データＩＣ５０の第１入力端子５４及び第２入力端子５６にグランド電圧（ＧＮＤ）を入力するように構成したが、第１入力端子５４又は第２入力端子５６の何れか一方に駆動電圧Ｖｈを入力するように構成しても良い。例えば、第１入力端子５４に駆動電圧Ｖｈ、第２入力端子５６にグランド電圧（ＧＮＤ）を入力し、第３入力端子５８には所定の電圧としてグランド電圧（ＧＮＤ）を入力するように構成しても良い。この場合にも、データＩＣ５０の中央部に位置する第３入力端子５８からグランド電圧（ＧＮＤ）が供給されるので、第１入力端子５４又は第２入力端子５６の何れか一方からのみグランド電圧（ＧＮＤ）を入力する場合に比較して、データＩＣ５０の端部と中央部とに接続されるアドレス電極の間でサステイン電圧による影響が不均一となる問題を軽減することができる。
【００６１】
図７は本発明の他の実施例によって具現された図６のデータ集積回路を示す。
【００６２】
図７を参照すれば、データＩＣ５０は等価的にそれぞれj個の出力部５２を含む第１ロジック部６０及び第２ロジック部６２を備える。
【００６３】
図７に示すように、グランド電圧（ＧＮＤ）は、第１ロジック部６０及び第２ロジック部６２のそれぞれの一方の側の端に供給される。
【００６４】
そして、所定の電圧(Ｖｐ)は、第１ロジック部６０と第２ロジック部６２との共通端子に接続される。ここでは、共通端子は、第１ロジック部６０と第２ロジック部６２との間に配置される。所定の電圧（Ｖｐ）は、また、共通端子を介して駆動ＩＣ５０に供給される。ここでは、所定の電圧(Ｖｐ)をグラウンド電圧(ＧＮＤ)とする。また、駆動電圧(Ｖｈ)が図示しない端子から駆動ＩＣ５０に供給される。 
【００６５】
所定の電圧(Ｖｐ)が第１ロジック部６０と第２ロジック部６２の共通端子(すなわち、第３入力端子と共通端子は電気的に接続される)に供給されれば、データＩＣ５０の中央部にまたはその近傍に位置された出力部５２で十分なグラウンド電圧(ＧＮＤ)が供給される。
【００６６】
このように、データＩＣ５０の出力部５２に十分なグラウンド電圧(ＧＮＤ)が供給されれば、放電セルを経由して供給されるサステイン電圧がグラウンド電圧(ＧＮＤ)に供給される。これに従ってデータＩＣ５０の中央部に配置された出力部５２がサステイン電圧によって影響を受けることを防止することができる。
【００６７】
実験的に、本発明のデータＩＣ５０はサステインパルスが１００V以上の高い電圧に設定される時にも、本発明では表示品質の低下なしに均一な輝度の映像を表示することができる。そして、本発明のデータＩＣ５０は出力部５２の数が９６個を超過する場合にも(すなわち、データＩＣ５０が多いチャンネルを含む場合にも)表示品質の低下なしに均一な輝度の映像を表示することができる。
【００６８】
上記では、第１ロジック部６０と第２ロジック部６２の各ロジック部の一端にそれぞれグランド電圧（ＧＮＤ）を供給したが、第１ロジック部６０又は第２ロジック部６２の何れか一方の一端に駆動電圧Ｖｈを供給するように構成しても良い。この場合も、データＩＣ５０の中央部に位置する共通端子からグランド電圧（ＧＮＤ）が供給されるので、第１ロジック部６０又は第２ロジック部６２の何れか一方の一端のみからグランド電圧（ＧＮＤ）を供給する場合に比較して、データＩＣ５０の端部と中央部とに接続されるアドレス電極の間でサステイン電圧による影響が不均一となる問題を軽減することができる。
【００６９】
このような本発明の説明を通じて、本発明が多様な方式に変更可能さは自明である。このような変更は本発明の精神と範囲を逸脱しないことで見なされなければならないし、このようなすべての修正は当業者に自明なところのように特許請求の範囲内に属する。各図面の構成要素に参照対号を付与するにおいて同一構成要素に対してはたとえ他の図面上にあっても同一参照対号を付与したことを予め明らかにしておく。
【図面の簡単な説明】
【００７０】
【図１】従来の３電極交流面放電型プラズマディスプレイパネルの放電セル構造を示す斜視図。
【図２】従来のプラズマディスプレイパネルの輝度加重値の一例を示す図。
【図３】従来のプラズマディスプレイパネルの駆動装置を示す図。
【図４】従来の図３の駆動装置のデータ集積回路を示す図。
【図５】本発明の実施例によるプラズマディスプレイパネルの駆動装置を示す図。
【図６】本発明の実施例による図５の駆動装置のデータ集積回路を示す図である。
【図７】本発明の他の実施例によって具現された図６のデータ集積回路を示す図である。
【図１】
2006106685.tif 000003
【図２】
2006106685.tif 000004
【図３】
2006106685.tif 000005
【図４】
2006106685.tif 000006
【図５】
2006106685.tif 000007
【図６】
2006106685.tif 000008
【図７】
2006106685.tif 000009